(57)【特許請求の範囲】
【請求項１】
雌管材料コネクタと、
雄管材料コネクタと
を備える医療用管材料コネクタ対であって、
該雌管材料コネクタは雄ねじを有し、該雄管材料コネクタは雌ねじを有し、該雄ねじおよび該雌ねじは、螺合により係合して、該雌管材料コネクタと該雄管材料コネクタとを一緒に固定し、
該雌ねじは、可撓性であり、該雌管材料コネクタと該雄管材料コネクタとが、該管材料コネクタの互いに対する回転なしで、互いに接続されることまたは切り離されることを可能にし、
該雄ねじおよび該雌ねじのうちの少なくとも一方が不連続であり、
該雄管材料コネクタがカラーを備え、該雌ねじが該カラーの内側表面に規定されており、
該カラーが可撓性である、
医療用管材料コネクタ対。
【請求項２】
前記雄ねじおよび前記雌ねじのうちの前記少なくとも一方のねじ切りされた領域が、前記管材料コネクタの対向する面に規定され、ねじ切りされていない領域は、該管材料コネクタの対向する面に規定された、該雄ねじおよび該雌ねじのうちの該少なくとも一方の該ねじ切りされた領域間に配置される、請求項１に記載の医療用管材料コネクタ対。
【請求項３】
前記雄ねじおよび前記雌ねじのうちの一方が不連続であり、該雌ねじおよび該雄ねじのうちの他方が連続的である、請求項１に記載の医療用管材料コネクタ対。
【請求項４】
前記可撓性な雌ねじおよび前記可撓性なカラーの各々が弾性材料である、請求項１に記載の医療用管材料コネクタ対。
【請求項５】
雌管材料コネクタと、
雄管材料コネクタと
を備える医療用管材料コネクタ対であって、
該雌管材料コネクタは雄ねじを有し、該雄管材料コネクタは雌ねじを有し、該雄ねじと該雌ねじとは、螺合により係合して、該雌管材料コネクタおよび該雄管材料コネクタを一緒に固定し、
該雄管材料コネクタは、可撓性なカラーを備え、該雌ねじは該可撓性なカラーの内側表面に規定されており、
該コネクタ対は、第一の係合モードおよび第二の係合モードを有し、該第一の係合モードにおいて、該雄ねじおよび該雌ねじは、互いに対して回転して係合または脱係合し、該第二の係合モードにおいて、該カラーは、圧搾力または拡張力により変形して、該雄ねじおよび該雌ねじが互いに対して軸方向に移動して、係合または脱係合することを可能にし、
該雄ねじおよび該雌ねじのうちの少なくとも一方が不連続である、
医療用管材料コネクタ対。
【請求項６】
前記雄ねじおよび前記雌ねじのうちの前記少なくとも一方のねじ切りされた領域が、前記管材料コネクタの対向する面に規定され、ねじ切りされていない領域が、該管材料コネクタの対向する面に規定された、該雄ねじおよび該雌ねじのうちの該少なくとも一方の該ねじ切りされた領域間に配置される、請求項５に記載の医療用管材料コネクタ対。
【請求項７】
前記雄ねじおよび前記雌ねじのうちの一方が不連続であり、該雌ねじおよび該雄ねじのうちの他方が連続的である、請求項５に記載の医療用管材料コネクタ対。
【発明の詳細な説明】
【技術分野】
【０００１】
（背景）
本願は、医療用管材料接続アセンブリに関する。特に、本願は、コネクタ間の相対回転運動ありまたはなしで接続されたり切り離されたりし得る、１対のコネクタを備える、医療用管材料接続アセンブリに関する。
【背景技術】
【０００２】
医療用管材料コネクタは、患者への医療用流体の送達において、重要な役割を果たす。医療用管材料接続アセンブリは代表的に、雌コネクタ、および管様の入口部品を有する雄コネクタを備える１対の構成要素を備えている。これらのコネクタはまた、さらなる構成要素（例えば、内部弁など）を備え得る。
【０００３】
管材料コネクタが長期間にわたって接続されるべきである用途、または不慮の切り離しが望ましくない用途において、ロック機構または固定機構が、一般にこのコネクタ対に組み込まれる。従来、カラーが雄コネクタの管様の入口部品（これは、特定の実施形態によれば、ルアー先端であり得る）の周りに配置され、このカラーは、このカラーの内側表面に形成された雌ねじを有する。さらに、雄ねじが雌コネクタのハウジングに形成される。これらの雄コネクタおよび雌コネクタは、これらのコネクタを互いに対して回転させて、雄コネクタおよび雌コネクタの嵌合するねじを螺合により係合させることによって、一緒に固定される。
【０００４】
特定の状況下で、使用者の介入を最小にしながら、コネクタ対を一緒にするための機構または機械（いわゆる「補助デバイス」または「交換器」）を提供することが、有利であり得る。例えば、この機械は、雌コネクタを受容するためのホルダ、および雄コネクタを受容するためのホルダを有し得る。この機械はまた、これらのコネクタを一緒にし、次いでこれらのコネクタを互いに対して回転させて、これらのコネクタを一緒に固定するための機構を備える。このような操作に関与する一連の動き（並進運動（コネクタを一緒にするため）および回転運動（これらのねじ山を一緒にするため）が挙げられる）を考慮すると、このような機械の作動機構はかなり複雑であり得る。その結果、これらの機械は、これらの作用を行うために必要とされる複雑な機構に起因して、高価であり、（サイズおよび重量の観点で）比較的嵩高い傾向がある。
【０００５】
好ましくは、これらのコネクタは、１つの運動（例えば、軸方向運動）の使用によって、一緒にされて固定される。このことは、機械の費用、サイズおよび重量の減少を伴って、より単純な機構が使用されることを可能にする。従って、他の医療用管材料接続アセンブリには存在する螺合による係合を欠く、改変された管材料コネクタが設計されている。ねじ山が存在しないので、これらのコネクタは、これらのコネクタを一緒に固定する際に回転させられる必要がない。このことは、これらのコネクタを一緒にするための、単純化された作用を可能にし、その結果、単純化された設計の機械を可能にする。
【０００６】
もちろん、このことはまた、単純化された機械に充分に適合した改変されたコネクタが、螺合による係合を用いる従来の管材料コネクタが代表的に使用される用途および環境（例えば、手操作での使用）において、容易に使用されないかもしれないことを意味する。その結果、健康管理提供者は、両方の型の医療用管材料接続アセンブリを手元に所有する必要があり得、このことは、必要とされる在庫品の全体のサイズを増大させ、そして在庫品の混同による、コネクタと使用時の関連する設備との不一致の可能性を増大させる。
【０００７】
以下により詳細に記載されるように、本開示は、上で議論された従来のデバイスおよびアプローチに対する有利な代替物を実施する、改善されたアセンブリを記載する。
【発明の概要】
【課題を解決するための手段】
【０００８】
本発明は、例えば、以下を提供する：
（項目１）
雌管材料コネクタ；および
雄管材料コネクタ
を備える医療用管材料コネクタ対であって、
該雌管材料コネクタは雄ねじを有し、そして該雄管材料コネクタは雌ねじを有し、該雄ねじおよび該雌ねじは、螺合により係合して、該雌管材料コネクタと該雄管材料コネクタとを一緒に固定し、
該雌ねじは、可撓性材料から作製されて、該雌管材料コネクタと該雄管材料コネクタとが、該管材料コネクタの互いに対する回転なしで、互いに接続されることまたは切り離されることを可能にする、
医療用管材料コネクタ対。
（項目２）
上記雄ねじおよび上記雌ねじのうちの少なくとも一方が不連続である、上記項目に記載の医療用管材料コネクタ対。
（項目３）
上記雄ねじおよび上記雌ねじのうちの上記少なくとも一方のねじ切りされた領域が、上記管材料コネクタの対向する面に規定され、ねじ切りされていない領域は、該管材料コネクタの対向する面に規定された、該雄ねじおよび該雌ねじのうちの該少なくとも一方の該ねじ切りされた領域間に配置される、上記項目のうちのいずれかに記載の医療用管材料コネクタ対。
（項目４）
上記雄ねじおよび上記雌ねじのうちの一方が不連続であり、そして該雌ねじおよび該雄ねじのうちの他方が連続的である、上記項目のうちのいずれかに記載の医療用管材料コネクタ対。
（項目５）
上記雄管材料コネクタがカラーを備え、上記雌ねじが該カラーの内側表面に規定されている、上記項目のうちのいずれかに記載の医療用管材料コネクタ対。
（項目６）
上記カラーが可撓性材料から作製されている、上記項目のうちのいずれかに記載の医療用管材料コネクタ対。
（項目７）
上記可撓性材料が弾性材料である、上記項目のうちのいずれかに記載の医療用管材料コネクタ対。
（項目８）
雌管材料コネクタ；および
雄管材料コネクタ
を備える医療用管材料コネクタ対であって、
該雌管材料コネクタは雄ねじを有し、そして該雄管材料コネクタは雌ねじを有し、該雄ねじと該雌ねじとは、螺合により係合して、該雌管材料コネクタおよび該雄管材料コネクタを一緒に固定し、
該雄管材料コネクタは、可撓性材料から作製されたカラーを備え、該雌ねじは該カラーの内側表面に規定されており、そして
該コネクタ対は、第一の係合モードおよび第二の係合モードを有し、該第一の係合モードにおいて、該雄ねじおよび該雌ねじは、互いに対して回転して係合または脱係合し、そして該第二の係合モードにおいて、該カラーは、圧搾力または拡張力により変形して、該雄ねじおよび該雌ねじが互いに対して軸方向に移動して、係合または脱係合することを可能にする、
医療用管材料コネクタ対。
（項目９）
上記雄ねじおよび上記雌ねじのうちの少なくとも一方が不連続である、上記項目のうちのいずれかに記載の医療用管材料コネクタ対。
（項目１０）
上記雄ねじおよび上記雌ねじのうちの上記少なくとも一方のねじ切りされた領域が、上記管材料コネクタの対向する面に規定され、ねじ切りされていない領域が、該管材料コネクタの対向する面に規定された、該雄ねじおよび該雌ねじのうちの該少なくとも一方の該ねじ切りされた領域間に配置される、上記項目のうちのいずれかに記載の医療用管材料コネクタ対。
（項目１１）
上記雄ねじおよび上記雌ねじのうちの一方が不連続であり、そして該雌ねじおよび該雄ねじのうちの他方が連続的である、上記項目のうちのいずれかに記載の医療用管材料コネクタ対。
【０００９】
（摘要）
医療用管材料コネクタ対は、雌管材料コネクタおよび雄管材料コネクタを備える。この雌管材料コネクタは雄ねじを有し、そしてこの雄管材料コネクタは雌ねじを有し、この雄ねじおよびこの雌ねじは、螺合により係合して、この雌管材料コネクタとこの雄管材料コネクタとを一緒に固定する。この雌ねじは、可撓性材料から作製されて、管材料コネクタの互いに対する回転なしで、この雌管材料コネクタとこの雄管材料コネクタとが互いに接続されたり切り離されたりすることを可能にする。
【００１０】
（要旨）
本開示の１つの局面によれば、医療用管材料コネクタ対は、雌管材料コネクタおよび雄管材料コネクタを備える。この雌管材料コネクタは雄ねじを有し、そしてこの雄管材料コネクタは雌ねじを有し、この雄ねじおよびこの雌ねじは、螺合により係合して、この雌管材料コネクタとこの雄管材料コネクタとを一緒に固定する。この雌ねじは、可撓性材料から作製されて、管材料コネクタの互いに対する回転なしで、この雌管材料コネクタとこの雄管材料コネクタとが互いに接続されたり切り離されたりすることを可能にする。
【００１１】
本開示の別の局面によれば、医療用管材料コネクタ対は、雌管材料コネクタおよび雄管材料コネクタを備える。この雌管材料コネクタは雄ねじを有し、そしてこの雄管材料コネクタは雌ねじを有し、この雄ねじおよびこの雌ねじは、螺合により係合して、この雌管材料コネクタとこの雄管材料コネクタとを一緒に固定する。この雄管材料コネクタは、可撓性材料から作製されたカラーを備え、この雌ねじはこのカラーの内側表面に規定される。このコネクタ対は、第一の係合モードおよび第二の係合モードを有し、この第一の係合モードにおいて、この雄ねじおよびこの雌ねじは、互いに対して回転して係合または脱係合し、そしてこの第二の係合モードにおいて、このカラーは、圧搾力または拡張力により変形させられて、この雄ねじおよびこの雌ねじが互いに対して軸方向に移動して、係合または脱係合することを可能にする。
【００１２】
本開示のさらなる局面は、本願の特許請求の範囲により規定される。
【００１３】
本開示は、添付の図面と合わせて考慮される以下の説明から、より完全に理解されると考えられる。いくつかの図は、他の要素をより明りょうに示す目的で、選択された要素を省略することにより単純化され得る。いくつかの図中のこのような要素の省略は、対応する文章の説明中に明示的に記載され得る場合以外は、例示的な実施形態のいずれにおいても、特定の要素の存在または非存在を必ずしも示さない。図面はいずれも、必ずしも同一縮尺で描かれていない。
【図面の簡単な説明】
【００１４】
【図１】図１は、コネクタが互いから切り離されている、本開示の第一の実施形態による医療用管材料コネクタ対の斜視図である。
【図２】図２は、カラーが圧搾されて並進による接続を容易にしている、図１の医療用管材料コネクタ対の斜視図である。
【図３】図３は、第一の操作モードおよび第二の操作モードによる接続を図示する、図１の医療用管材料コネクタ対の側面図である。
【図４】図４は、医療用管材料コネクタ対の特徴と補助デバイスとの間の協働を図示する、補助デバイスと合わせた図１の医療用管材料コネクタ対の部分断面図である。
【図５】図５は、コネクタが互いから切り離されている、本開示の第二の実施形態による医療用管材料コネクタ対の斜視図である。
【図６】図６は、カラーが圧搾されて並進による接続を容易にしている、図４の医療用管材料コネクタ対の斜視図である。
【図７】図７は、第一の操作モードおよび第二の操作モードによる接続を図示する、図４の医療用管材料コネクタ対の側面図である。
【発明を実施するための形態】
【００１５】
（詳細な説明）
以下の文章は、本発明の様々な実施形態の詳細な説明を記載するが、本発明の法的範囲は、本願の末尾に記載される特許請求の範囲の文言によって規定されることが理解されるべきである。この詳細な説明は、説明のみとして解釈されるべきであり、本発明の全ての可能な実施形態を記載してはいない。なぜなら、全ての可能な実施形態の記載は、不可能ではないにしても非現実的であるからである。現在の技術、または本願の出願日後に開発される技術のいずれかを使用する、多数の代替の実施形態が想定され得、これらの代替の実施形態は依然として、本発明を規定する特許請求の範囲の範囲内である。
【００１６】
ある用語が「本明細書中で使用される場合、用語「〜」とは、…を意味するように定義される」との文または類似の文を使用して本願において明示的に定義されない限り、その明白な通常の意味を超えて、この用語の意味を明示的にも暗示的にも限定する意図はなく、そしてこのような用語は、本願の任意の文章においてなされるいかなる記載に基づいても（請求項の文言を除く）、限定されると解釈されるべきではないこともまた理解されるべきである。本願の末尾の請求項中に記載される任意の用語が、本願において１つの意味と一致する様式で記載される限りにおいて、このことは、読者が混乱しないためのみに明りょうにする目的でなされ、そしてこのような請求項の文言が、暗示によっても他の方法でも、その１つの意味に限定されることを意図されない。最後に、請求項の構成要素が用語「手段」を記載することにより、そしていかなる構造の記載もなしで機能により、規定されない限り、任意の請求項の構成要素の範囲は、米国特許法第１１２条第６段落の適用に基づいて解釈されることを意図されない。
【００１７】
図１〜図４は、本開示による医療用管材料コネクタ対の第一の実施形態１００を図示し、一方で、図５〜図７は、本開示による医療用管材料コネクタ対の第二の実施形態１００’を図示する。管材料コネクタ対の第二の実施形態１００’は、管材料コネクタ対１００と共通の多数の特徴を共有するので、類似の特徴は、類似の参照番号を使用して表わされ、図５〜図７の実施形態の特徴は、図１〜図４の実施形態の対応する特徴から、プライムの使用によって区別される。
【００１８】
最初に図１〜図３に図示される第一の実施形態を参照すると、医療用管材料コネクタ対１００は、第一の管材料コネクタ１０２および第二の管材料コネクタ１０４を備える。第一の管材料コネクタ１０２は、図示されるように、雌管材料コネクタであり得る。第二の管材料コネクタ１０４は、雄管材料コネクタであり得る。
【００１９】
第一の管材料コネクタ１０２および第二の管材料コネクタ１０４の各々は、管材料コネクタ１０２、１０４の表面に形成された、嵌合するねじ山を有し得る。具体的には、第一の管材料コネクタ１０２は、ハウジング１１０の外側表面１０８に形成された雄ねじ１０６を有する。類似の様式で、第二の管材料コネクタ１０４は、雄ルアー先端１２２の周りに配置されたカラー１２０を備え、このカラー１２０は、内側表面１２６に形成または規定された雌ねじ１２４を有する。雄ねじ１０６および雌ねじ１２４は、図３に図示されるように、螺合により係合して、第一の管材料コネクタ１０２および第二の管材料コネクタ１０４を一緒に固定する。
【００２０】
本開示によれば、カラー１２０は、可撓性材料（例えば、弾性材料）から作製される。可撓性材料から作製されたカラー１２０を用いる場合、第一のコネクタ１０２および第二のコネクタ１０４は、第一の管材料コネクタ１０２と第二の管材料コネクタ１０４との互いに対する回転なしで、互いに接続されたり切り離されたりされ得る。すなわち、第一の作動モード（例えば、図３において双頭の湾曲した矢印により図示される）によれば、第一の管材料コネクタ１０２および第二の管材料コネクタ１０４は、互いに対して回転させられ、これによって、ねじ山１０６、１２４を螺合により係合させ、そして第一の管材料コネクタ１０２と第二の管材料コネクタ１０４とを互いに固定する。しかし、第二の作動モード（例えば、図３において双頭の真っ直ぐな矢印により図示される）によれば、第一の管材料コネクタ１０２および第二の管材料コネクタ１０４は、共通の軸１３０に沿って軸方向に移動または並進させられて、可撓性材料から作製されたカラー１２０が変形し得、これによって、カラー１２０が、ねじ山１０６がねじ山１２４に係合することなく、コネクタ１０２のねじ山を越えて移動することを可能にする。
【００２１】
コネクタ１０２のねじ山を越えてのカラー１２０の移動は、雄ねじ１０６および雌ねじ１２４のうちの少なくとも一方を不連続にすることによって、容易にされ得る。すなわち、不連続なねじ山とは、そのねじ山が規定される表面の周りで１つ以上の回転を完成させないねじ山である。例えば、雄ねじ１０６および雌ねじ１２４のうちの少なくとも一方のねじ切りされた領域は、コネクタ１０２、１０４の対向する側面領域に規定され得、ねじ切りされていない領域は、コネクタ１０２、１０４の対向する面に規定された、雄ねじ１０６および雌ねじ１２４のうちの少なくとも一方のねじ切りされた領域の間に配置される。これは単に、潜在的に不連続なねじ山の例示的な実施形態であることが認識され、そして不連続なねじ山をこのような実施形態のみに限定するように解釈されるべきではない。
【００２２】
例えば、図１に図示される管材料コネクタ対１００の実施形態において、コネクタ１０４内側表面１２６に規定される雌ねじ１２４が不連続である。具体的には、雌ねじ１２４は、２つのねじ切りされた領域１４０、１４２を有し、これらのねじ切りされた領域は、コネクタ１０４の対向する面に規定され、ねじ切りされていない領域１４４、１４６は、雌ねじ１２４のねじ切りされた領域１４０と１４２との間に配置され、そしてコネクタ１０４の対向する面に規定される。類似の様式で、図５に図示される管材料コネクタ対１００’の実施形態において、外側表面１０８’に規定された雄ねじ１０６’は、２つのねじ切りされた領域１５０、１５２を有し、これらのねじ切りされた領域は、コネクタ１０２’の対向する面に規定され、ねじ切りされていない領域は（例えば、１５４において）、雄ねじ１０６’のねじ切りされた領域１５０と１５２との間に配置され、そしてコネクタ１０２の対向する面に規定される。
【００２３】
特定の実施形態（例えば、図１〜図７に図示される実施形態）によれば、雄ねじ１０６および雌ねじ１２４のうちの少なくとも一方が、不連続な領域を有するように規定されることに加えて、雄ねじ１０６および雌ねじ１２４のうちの他方は、連続的である。すなわち、連続的なねじ山とは、そのねじ山が規定される表面の周りで１つ以上の回転を完成させるねじ山である。本開示の全ての実施形態によれば、雄ねじ１０６、１２４のうちの他方が必ずしも連続である必要はないことが認識される。例えば、ねじ山１０６は不連続であり得るが、この不連続なねじ山のねじ切りされた領域間のねじ切りされていない領域は、不連続なねじ山１２４のねじ切りされていない領域より小さくあり得る。従って、コネクタ対１００、１００’は、雄ねじ１０６および雌ねじ１２４のうちの少なくとも一方が不連続なねじ切りされた領域を含み、そして雄ねじ１０６および雌ねじ１２４のうちの他方が連続的であるように図示されているが、これは単に、本開示の例示的な実施形態である。
【００２４】
上記のように、カラー１２０は、可撓性材料から形成される。このような実施形態によれば、カラー１２０は把持されて、カラー１２０を規定する壁１６０を図２に図示されるように変形させ得、これによって、ねじ山１２４の半径方向外向きへの変形を補助して、コネクタ１０２、１０４が互いに接続されたり切り離されたりすることを可能にする。類似の言及が、第二の実施形態の雌ねじ１２４’に関してなされ得る。
【００２５】
実際には、第一の管材料コネクタ１０２および第二の管材料コネクタ１０４は、各々に、指パッド１７０、１７２（親指用またはその他の指用）を形成され得る。具体的には、パッド１７０は、第一の管材料コネクタ１０２のハウジング１１０の外側表面１０８に形成され得、一方で、パッド１７２は、第二の管材料コネクタ１０４のカラー１２０の壁１６０の外側表面１７４に形成され得る。これらの指パッド１７０、１７２は、いずれの操作モードにおいても、第一の管材料コネクタ１０２および第二の管材料コネクタ１０４を把持することを補助し得る。第二の管材料コネクタ１０４上の指パッド１７２はまた、カラー１２０の変形を引き起こすために、カラー１２０の壁１６０に圧搾力を加えることを補助し得る。
【００２６】
さらに、指パッド１７０、１７２は、補助デバイスに装填される場合にコネクタ１０２、１０４の整列を容易にするように、第一の管材料コネクタ１０２および第二の管材料コネクタ１０４に配置され得る。第一の管材料コネクタ１０２および第二の管材料コネクタ１０４のより良好な整列および配置は、コネクタ１０２、１０４が補助デバイスによって軸方向に一緒にされる場合に、コネクタ１０２、１０４のねじ山１０６、１２４が実質的に完全に係合する（例えば、適切な深さまたは所望の深さまでの係合）可能性を増大させると考えられる。この目的で、パッド１７０、１７２は、ハウジング１１０またはカラー１２０の壁１６０に形成された凹部またはカットアウトにより規定され得、これによって、その他の点ではほぼ円柱形であるハウジング１１０またはカラー１２０の周りに、対向する１対の平坦な表面を規定し、これは、補助デバイスＡＤの特徴と協働して、補助デバイスＡＤに対するコネクタ１０２、１０４の整列を改善し、そして動きを制限する。例えば、図４を参照のこと。しかし、指パッド１７０、１７２は、他の形状または形態を同様に取り得る。
【００２７】
コネクタ１０２と１０４との間を接続すると、雄コネクタ１０４のルアー先端１２２が、雌コネクタ１０２の内側表面に密着して係合して、コネクタ１０２と１０４との間の流体連絡のための通路を提供する。
【００２８】
管材料コネクタ対１００の構造をこのように説明したので、管材料コネクタ対１００の作動モードを、ここで図３を参照しながら議論する。
【００２９】
図３は、上記管材料コネクタ対１００のための第一の作動（または係合）モードを図示する。この第一の作動モードによれば、コネクタ１０２、１０４は、ねじ山１０６、１２４がそれらの端部１９０、１９２で当接するように一緒にされる。コネクタ１０２、１０４を（双頭の湾曲した矢印により表わされるように）互いに対して回転させると、ねじ山１０６、１２４は、互いに嵌合により係合し、これによって、コネクタ１０２、１０４を互いに固定する。コネクタ１０２、１０４の相対的な回転は、コネクタ１０２、１０４（またはより具体的には、ねじ山１０６、１２４）のうちのいずれかまたは両方を互いに対して回転させることによって、達成され得ることが認識される。ねじ山１０６、１２４の可撓性の性質は、ねじ山１０６、１２４がねじ山１０６、１２４の性質および形状に従って嵌合により係合する第一の作動モードにおいては、必ずしも必要ではないこともまた、認識される。この作動様式の変形例として、カラー１２０は、雄ルアー先端１２２の周りでの回転を許容され得、その結果、雄ルアー先端１２２は、回転させられる必要がない。
【００３０】
あるいは、図３はまた、上記管材料コネクタ対１００についての第二の作動（または係合）モードを図示する。第二の作動モードによれば、コネクタ１０２、１０４は、ねじ山１０６、１２４がそれらの端部１９０、１９２で当接するように一緒にされる。しかし、コネクタ１０２、１０４は、互いに対して回転しない。その代わりに、圧搾力が、図２に図示されるように、カラー１２０の不連続なねじ山を有するセクションにおいてカラー１２０に加えられ得る。あるいは、カラー１２０のねじ山１２４が雌管材料コネクタ１０２のねじ山１０６を越えて動く際に、拡張力が発生し得る。その結果、ねじ切りされた領域１２４が（図示される実施形態によれば）、コネクタ１０２、１０４が互いに対して軸方向に動くことを可能にする距離だけ、軸方向外向きに変形する。一旦、この圧搾力または拡張力がカラー１２０から除かれると、カラー１２０が復元し、そしてねじ山１０６、１２４が互いに嵌合により係合して、コネクタ１０２、１０４の軸方向の分離に抵抗する。同様に、圧搾力または拡張力は、コネクタ１０２、１０４を切り離すために、カラー１２０に加えられ得る。この様式で、第二の作動モードは、いわゆる「プッシュアンドプル」作動であり、第一の作動モードの「ねじ」作動と対照を成す。
【００３１】
上記のように、管材料コネクタ対１００と管材料コネクタ対１００’との１つの主要な差異は、図示されるねじ山１０６’、１２４’のうちのいずれが不連続であるように図示されるかに関する。管材料コネクタ対１００’の実施形態によれば、コネクタ１０２’の雄ねじ１０６’が不連続であり、領域１５０、１５２が、空間（これらのうちの１つが１５４に図示されている）により分離されている。これは、対１００のねじ山１２４の構成と比較され得る。対１００のねじ山１２４の構成は、ねじ切りされていない領域１４４、１４６により分離された領域１４０、１４２を有する。この構造の差異にもかかわらず、図７に図示される作動モードは、図３に図示される作動モードと類似であることが認識される。
【００３２】
本開示によるコネクタ対（および個々のコネクタ）は、従来の管材料コネクタに対する１つ以上の利点を提示し得ることが認識される。管材料コネクタ対の管材料コネクタの両方にねじ山を提供することによって、本開示による管材料コネクタは、別々のコネクタに規定されたねじ山を係合させることによってこれらのコネクタを一緒に接続または固定することを必要とするかまたは可能にする用途において、使用され得る。可撓性（例えば、弾性）材料から作製されたカラー、および不連続なねじ山を、コネクタのうちの少なくとも一方に提供することによって、これらのコネクタの相対的な回転なしで、これらのコネクタを接続することがまた可能である（例えば、圧搾力または拡張力をカラーに加え、そしてこのカラーを他方のコネクタのねじ切りされた領域を越えて管材料コネクタ対の共通の軸に沿ってスライドさせることによる）。その結果、本開示による管材料コネクタは、螺合による係合を欠くコネクタとの使用のために特に設計された補助デバイスと一緒に使用され得る。なぜなら、このような機構において使用される軸方向運動が、これらのコネクタにもこの機構にも損傷を与えることなく、本開示によるコネクタに加えられ得るからである。そのさらなる結果として、健康管理提供者がコネクタ補助デバイスの在庫品を携帯する必要がなくなる。
【００３３】
本明細書中に記載されるような管材料コネクタおよび管材料コネクタ対の構造および作動は、例えば、ルアー起動デバイス（ＬＡＤ）の雄ルアー取付具に応用され得ることもまた理解される。本明細書中に記載されるコネクタの構造および作動を組み込む類似のコネクタについての他の用途もまた、認識される。
【００３４】
本明細書中に記載される現在好ましい実施形態に対する他の変更および改変もまた、当業者に明らかであることが理解されるべきである。このような変更および改変は、本発明の趣旨および範囲から逸脱することなく、そして意図される利点を減少させることなく、なされ得る。従って、このような変更および改変は、添付の特許請求の範囲により網羅されることが意図される。
【符号の説明】
【００３５】
１００  医療用管材料コネクタ対
１０２  第一の管材料コネクタ
１０４  第二の管材料コネクタ
１０６  雄ねじ
１０８  外側表面
１１０  ハウジング
１２０  カラー
１２２  雄ルアー先端
１２４  雌ねじ
１２６  内側表面
【図１】
0005901018.tif 000002
【図２】
0005901018.tif 000003
【図３】
0005901018.tif 000004
【図４】
0005901018.tif 000005
【図５】
0005901018.tif 000006
【図６】
0005901018.tif 000007
【図７】
0005901018.tif 000008